(57)【特許請求の範囲】
【請求項１】
通常動作モードに動作する第１機器部と、待機動作モードに動作する機器及び駆動入力信号による通常動作モード時に動作する機器を含む第２機器部と、を備えた対象装置に対して電力を供給する電源装置において、
前記第１機器部に電力を供給する主電源と、
前記第２機器部に電力を供給する副電源と、
前記副電源の電力供給状態に応じた電流を検出する検出手段と、
前記検出手段により検出した電流が前記第２機器部を作動することができる所定値以上になった場合に前記主電源をオンし、前記電流が所定値より小さくなった場合に前記主電源をオフする制御手段と、
を備えたことを特徴とする電源装置。
【発明の詳細な説明】
【０００１】
【発明の属する技術分野】
本発明は、電源装置に係り、特に、電子写真方式のプリンタや複写機に用いられる電源装置に関する。
【０００２】
【従来の技術】
例えば電子写真方式の複写機、ファクシミリ、プリンタ等の画像形成装置では、動作状態を表示するための液晶ディスプレイ、操作盤、画像形成のための装置（例えば帯電装置、感光体、光ビーム走査装置、定着装置等）、及びこれらに電源を供給するための電源装置（例えばスイッチング電源）等を備えている。
【０００３】
上記のような画像形成装置では、装置の各部へ電源を供給するための電源装置を、例えば図５に示すように供給する電力の大きさなどによってメイン電源及びサブ電源に分けるのが通常となっている。
【０００４】
ここで、メイン電源は、図５に示すように定常動作時（画像形成時）に必要な負荷、例えば感光体を回転させるためのモータや光ビーム走査装置に含まれるポリゴンミラーを回転させるためのモータ等に電力を供給する。一方、サブ電源は、例えばＩＰＳ（Image Processing System：画像処理システム）やハードディスク等の定常動作時に必要な負荷、ＬＥＤやファン、液晶ディスプレイ等の定常動作時以外の待機時に必要な負荷、及びＦＡＸ指示信号やプリント指示信号等を検知する回路を備えた制御回路等に電力を供給する。
【０００５】
このような電源装置では、前記待機時には、制御回路において外部からのＦＡＸ指示信号等を監視し、一定時間以上ＦＡＸ指示信号等を受信していない場合には、オフ信号をメイン電源へ送出することによりメイン電源をオフし、無駄な消費電力を抑えている。
【０００６】
例えば、特開平７−２４８７３８号公報には、表示される映像内容に変化があるか否かを判断し、映像内容に変化がない場合にはメイン電源をオフする装置が記載されている。
【０００７】
また、特開平８−９５４３１号公報には、表示部などの通常負荷の電源装置と待機状態を持つモータなどの電源装置（メイン電源）とを分離し、複写開始スイッチが操作されたときにモータなどの電源装置に電源を供給することにより省電力を図る装置が記載されている。
【０００８】
さらに、特開平９−１３４０９６号公報には、画像形成時のみ必要な駆動電圧を発生する駆動系電源回路（メイン電源）と待機時に最低必要な電圧を発生する制御系電源回路とを備え、待機時には画像形成時のみ必要な駆動系電源回路を停止させることにより省電力を図る装置が記載されている。
【０００９】
【発明が解決しようとする課題】
しかしながら、上記従来技術では、何れもメイン電源をオンオフするためのオンオフ信号を送出する機能と該オンオフ信号を送出する条件としての外部信号を検出する機能とを備えた制御回路が必要となりコストが高くなる。また、この制御回路は装置特有のものとなるため、機種毎に作成しなければならず、異なる機種間で電源装置の共有化を図ることが困難となる。
【００１０】
本発明は、上記問題を解決すべく成されたものであり、簡単な構成で省電力を図ることができると共に、異なる機種間で装置を共有化することが可能な電源装置を提供することを目的とする。
【００１１】
【課題を解決するための手段】
上記目的を達成するために、請求項１記載の発明は、通常動作モードに動作する第１機器部と、待機動作モードに動作する機器及び駆動入力信号による通常動作モード時に動作する機器を含む第２機器部と、を備えた対象装置に対して電力を供給する電源装置において、前記第１機器部に電力を供給する主電源と、前記第２機器部に電力を供給する副電源と、前記副電源の電力供給状態に応じた電流を検出する検出手段と、前記検出手段により検出した電流が前記第２機器部を作動することができる所定値以上になった場合に前記主電源をオンし、前記電流が所定値より小さくなった場合に前記主電源をオフする制御手段と、を備えたことを特徴とする。
【００１２】
対象装置は、通常動作モードに動作する第１機器部と、待機動作モードに動作する機器及び駆動入力信号による通常動作モード時に動作する機器を含む第２機器部と、を備えている。このような対象装置としては、例えば画像形成装置がある。このような対象装置に対して電力を供給する電源装置において、主電源は、通常動作モード時にのみ作動する第１機器部へ電力を供給する。前記装置がファクシミリやプリンタ、複写機などの場合には、第１機器部としては、例えば感光体上に画像に応じた潜像を形成するための光ビーム走査装置に含まれるポリゴンミラーや前記感光体等を回転させるためのモータ等の駆動系の機器が含まれる。
【００１３】
副電源は、待機動作モードに動作する機器及び駆動入力信号による通常動作モード時に動作する機器を含む第２機器部へ電力を供給する。この駆動入力信号は、例えば前記対象装置の駆動を指示する駆動指示信号であり、例えばＦＡＸ指示信号やプリント指示信号、タイマー信号等が含まれる。
【００１４】
また、第２機器部としては、例えばＩＰＳ（画像処理システム）やハードディスク等の通常動作時、すなわち画像形成時に必要な負荷、及びＬＥＤやファン、液晶ディスプレイ、ＦＡＸ指示信号やプリント指示信号を検出する検出回路等の定常動作時以外の待機時に必要な負荷等の制御系の機器が含まれる。
【００２１】
なお、第２機器部の作動状態は、副電源から供給される電圧や電流により検出することができる。
【００２２】
そこで、検出手段は、第２機器部の作動状態として副電源の電力供給状態に応じた電流を検出し、制御手段は、検出した電流が所定値以上になった場合に主電源をオンし、前記電流が所定値より小さくなった場合に主電源をオフする。
【００２３】
第２機器部の作動状態は、前述したように電力供給状態に応じた電流の検出により行うことができ、この電流の検出には、例えば抵抗やカレントトランス等を用いて行うことができる。
【００２４】
制御手段は、検出した電流が所定値、すなわち第２機器部を作動することができる電流以上になった場合には、第２機器部が例えば画像形成のために電力を消費しており、通常動作モードであると判断することができるため主電源をオンし、第１機器部に対して電力の供給を開始する。一方、前記電流が所定値より小さくなった場合には、第２機器部があまり電力を消費しておらず、待機動作モードであると判断することができるので主電源をオフし、第１機器部に対して電力の供給を停止する。
【００２５】
これにより、待機状態における無駄な電力の消費を抑えることができると共に、オンオフ信号を主電源に対して送出する等の特別な制御回路等が不要となりコストを抑えることができると共に、他の装置との独立性を高めることができ、異なる機種間で電源装置の共有化を図ることが可能となる。
【００２６】
【発明の実施の形態】
〔第１実施形態〕
以下、図面を参照して本発明の第１実施形態について説明する。まず、本発明の概略について図１を参照して説明する。
【００２７】
図１に示すように、電源装置１０は、主電源としてのメイン電源１２と副電源としてのサブ電源１４とに分かれており、メイン電源１２は、図１に示すように第１機器部１１としての定常動作時（画像形成時）に必要な負荷、例えば感光体を回転させるためのモータや光ビーム走査装置に含まれるポリゴンミラーを回転させるためのモータ等に電源を供給する。
【００２８】
一方、サブ電源１４は、例えばＩＰＳやハードディスク等の第２機器部１３としての定常動作時に必要な負荷、ＬＥＤやファン、液晶ディスプレイ、画像形成装置を駆動するための駆動入力信号１５としてのＦＡＸ指示信号やプリント指示信号を検出する信号検出回路等の定常動作時以外の待機時に必要な負荷に電源を供給する。
【００２９】
ここで、待機時においてＦＡＸ指示信号やプリント指示信号等の待機状態を解除する信号を前記信号検出回路が検知すると、前記画像形成に必要なＩＰＳやハードディスクが画像形成のための動作を行うため消費する電力量が増加する。これにより、サブ電源１４からの電力供給量が増加する。
【００３０】
そして、検出手段１７が、サブ電源１４からＩＰＳやハードディスク等へ所定値以上の電力が供給されていることを検出すると、スイッチ手段１９がメイン電源１２をオンする。これにより、メイン電源１２からモータなどへ電力の供給が開始される。
【００３１】
逆に、画像形成処理が終了すると、サブ電源１４内の前記負荷検出手段が検出する電力が所定値以下となり、メイン電源１２内の前記スイッチ手段がオフする。これにより、メイン電源１２からの電力供給が停止され、待機状態に戻る。
【００３２】
次に、電源装置１０の具体的な回路構成について図２を参照して説明する。
【００３３】
図２に示す電源装置１０のサブ電源１４は、トランス１６を備えている。トランス１６の１次巻線１８の一端は、入力平滑回路２２に接続されており、他端はＭＯＳ−ＦＥＴ２４のドレイン端子が接続されている。ＭＯＳ−ＦＥＴ２４のゲート端子は制御回路２６が接続されており、ソース端子は入力平滑回路２２に接続されている。
【００３４】
入力平滑回路２２は、交流電源２８に接続されている。入力平滑回路２２は、例えばダイオードやコンデンサ等を含んで構成され、交流電源２８から供給される交流電力を整流平滑し、直流電力としてトランス１６の１次巻線１８に供給する。
【００３５】
そして、ＭＯＳ−ＦＥＴ２４のゲート端子に制御回路２６から制御信号が入力されることによりトランス１６の１次巻線１８に印加される直流電圧がスイッチングされる。これにより、トランス１６の２次巻線２０側には、巻線比に応じた交流電圧が誘起される。
【００３６】
２次巻線２０の一端は、ダイオード３０のアノード端子に接続されている。ダイオード３０のカソード端子は、抵抗３２の一端、コンデンサ３４の一端、定常動作時に必要な負荷であるＩＰＳやハードディスク、及び待機時に必要な負荷であるファン、ＬＥＤ、液晶ディスプレイ等に接続されている。これにより、２次巻線２０に誘起された交流電圧は、ダイオード３０及びコンデンサ３４により整流平滑されて前記ＩＰＳやハードディスク、ファン、ＬＥＤ、液晶ディスプレイ等に直流電圧として供給される。
【００３７】
なお、制御回路２６では、出力電圧を検出し、該検出した出力電圧に応じた検出信号を出力する図示しない検出回路からの前記検出信号をモニタし、出力電圧が目標電圧となるように制御信号のデューティ比をフィードバック制御する。
【００３８】
抵抗３２の他端はフォトカプラ３６の発光ダイオード３６Ａのアノード端子が接続されている。発光ダイオード３６Ａのカソード端子は、ＮＰＮのトランジスタ３８のコレクタ端子に接続されている。トランジスタ３８のベース端子は、２次巻線２０の他端及び検出手段としての検出抵抗４０の一端に接続されている。検出抵抗４０の他端はコンデンサ３４の他端に接続されると共に接地されている。
【００３９】
一方、メイン電源１２は、トランス４２を備えている。トランス４２の１次巻線４４Ａの一端は、入力平滑回路４８に接続されており、他端はＭＯＳ−ＦＥＴ５０のドレイン端子が接続されている。ＭＯＳ−ＦＥＴ５０のゲート端子は制御回路５２が接続されており、ソース端子は入力平滑回路４８に接続されている。
【００４０】
入力平滑回路４８は、交流電源２８に接続されている。入力平滑回路４８は、例えばダイオードやコンデンサ等を含んで構成され、交流電源２８から供給される交流電力を整流平滑し、直流電力としてトランス４２の１次巻線４４Ａに供給する。
【００４１】
そして、ＭＯＳ−ＦＥＴ５０のゲート端子に制御回路５２のＯＵＴ端子から制御信号が入力されることによりトランス４２の１次巻線４４Ａに印加される直流電圧がスイッチングされる。これにより、トランス４２の２次巻線４６側には、巻線比に応じた交流電圧が誘起される。
【００４２】
２次巻線４６の一端は、ダイオード５４のアノード端子に接続されている。ダイオード５４のカソード端子は、コンデンサ５６の一端、定常動作時に必要な負荷であるモータ等に接続されている。また、２次巻線４６の他端は、コンデンサ５６の他端に接続されると共に接地されている。これにより、２次巻線４６に誘起された交流電圧は、ダイオード５４及びコンデンサ５６により整流平滑されて前記モータ等に直流電圧として供給される。
【００４３】
なお、制御回路５２では、出力電圧を検出し、該検出した出力電圧に応じた検出信号を出力する図示しない検出回路からの前記検出信号をモニタし、出力電圧が目標電圧となるように制御信号のデューティ比をフィードバック制御する。
【００４４】
一方、トランス４２の一次巻線４４Ｂの一端は、ダイオード５８のアノード端子が接続されており、他端は、フォトカプラ３６のフォトトランジスタ３６Ｂのエミッタ端子及び制御回路５２のＧＮＤ端子に接続されている。ダイオード５８のカソード端子は、抵抗６０の一端に接続されると共に制御回路５２のＶｃｃ端子に接続されている。抵抗６０の他端は、フォトトランジスタ３６Ｂのコレクタ端子に接続されると共に、制御回路５２のＯＮ／ＯＦＦ端子に接続されている。
【００４５】
なお、トランジスタ３８、フォトカプラ３６、及び制御回路５２は本発明の制御手段に対応する。
【００４６】
次に、第１実施形態の作用について説明する。
【００４７】
制御回路２６によりＭＯＳ−ＦＥＴ２４のゲート端子に所定周期でオンオフを繰り返す制御信号が出力されると、トランス１６の１次巻線１８にエネルギーが蓄えられ、トランス１６の２次巻線２０に２次側巻線電圧が発生する。
【００４８】
そして、２次巻線２０側に誘起された交流電圧は、ダイオード３０及びコンデンサ３４で整流平滑されて直流電圧として出力される。
【００４９】
ここで、待機状態の場合には、前記ＩＰＳやハードディスクに供給される負荷電流が少ないため、検出抵抗４０を流れる電流も少ない。すなわち、検出抵抗４０による電圧降下が小さいため、トランジスタ３８がオンせず、フォトカプラ３６の発光ダイオード３６Ａに電流が流れない。従って、メイン電源１２側のフォトトランジスタ３６Ｂが導通しないため、制御回路５２のＯＮ／ＯＦＦ端子には、ハイレベルが入力される。
【００５０】
制御回路５２では、ＯＮ／ＯＦＦ端子にハイレベルが入力されている場合には、ＯＵＴ端子からＭＯＳ−ＦＥＴ５０へ出力する制御信号をオフする。これにより、メイン電源１２からモータなどへの電力の供給が遮断される。
【００５１】
そして、外部からＦＡＸ指示信号やプリント指示信号等の待機状態を解除する信号を前記信号検出回路が検知すると、前記画像形成に必要なＩＰＳやハードディスクが画像形成のための動作を行うため消費する電力量が増加する。これにより、サブ電源１４からの電力供給量が増加する。
【００５２】
すなわち、負荷電流が増加し、検出抵抗４０を流れる電流も大きくなる。従って、検出抵抗４０による電圧降下が大きくなり、トランジスタ３８がオンする。これにより、フォトカプラ３６の発光ダイオード３６Ａに電流が流れ、メイン電源１２側のフォトトランジスタ３６Ｂが導通し、制御回路５２のＯＮ／ＯＦＦ端子には、ローレベルが入力される。
【００５３】
制御回路５２では、ＯＮ／ＯＦＦ端子にローレベルが入力されると、ＯＵＴ端子からＭＯＳ−ＦＥＴ５０への制御信号の出力を開始する。これにより、トランス４２の１次巻線４４Ａにエネルギーが蓄えられ、トランス４２の２次巻線４６に２次側巻線電圧が発生し、該２次巻線４６側に誘起された交流電圧は、ダイオード５４及びコンデンサ５６で整流平滑されて直流電圧としてモータなどに出力される。
【００５４】
なお、トランジスタ３８をオンさせるタイミングの変更は、例えば検出抵抗４０の抵抗値を変更することにより行うことができる。
【００５５】
このように、抵抗４０を流れる電流の大きさ、すなわちサブ電源１４から供給される電力の大きさに応じて自動的にメイン電源１２の起動がオンオフされるため、メイン電源をオンオフするためのオンオフ信号を送出する機能と該オンオフ信号を送出する条件としての外部信号を検出する機能とを備えた特別な制御回路が不要となりコストを抑えることができると共に、前記制御回路への電源供給も不要となるため、さらに省電力化を図ることができる。また、前記制御回路が不要のため、他の装置との独立性を高めることができ、異なる機種間で電源装置の共有化を図ることが可能となる。従って、設計が行いやすくなると共に短期開発が可能となる。
【００５６】
〔第２実施形態〕
次に、本発明の第２実施形態について説明する。第２実施形態では、第１実施形態において説明した電源装置１０の変形例について説明する。なお、図２に示す電源装置１０と同一部分については同一符号を付し、その詳細な説明を省略する。
【００５７】
図３に示す電源装置１０’は、２次巻線２０の他端とコンデンサ３４との間に検出手段としてのカレントトランス６２の一次巻線６２Ａが接続されている。カレントトランス６２の２次巻線６２Ｂには、抵抗６４が接続されている。また、二次巻線６２Ｂの一端は接地され、他端はダイオード６６のアノード端子及び他端が接地されたコンデンサ６８の一端が接続されている。
【００５８】
ダイオード６６のカソード端子は、抵抗７０の一端が接続されており、抵抗７０の他端は抵抗７２の一端及びトランジスタ７４のベース端子に接続されている。抵抗７２の他端及びトランジスタ７４のエミッタ端子は、２次巻線４４Ｂの他端、コンデンサ７６の他端、及び制御回路５２のＧＮＤ端子に接続されている。コンデンサ７６の一端はダイオード５８のカソード端子、抵抗６０の一端、及び制御回路５２のＶｃｃ端子に接続されている。トランジスタ７４のコレクタ端子は、制御回路５２のＯＮ／ＯＦＦ端子及び抵抗６０の他端に接続されている。
【００５９】
次に、第２実施形態の作用について説明する。
【００６０】
待機状態の場合には、ＩＰＳやハードディスクに供給される負荷電流が少ないため、カレントトランス６２の一次巻線６２Ａの電圧が小さい。このため、２次巻線６２Ｂに誘起される電圧も小さく、トランジスタ７４が導通しない。従って、制御回路５２のＯＮ／ＯＦＦ端子には、ハイレベルが入力される。
【００６１】
制御回路５２では、ＯＮ／ＯＦＦ端子にハイレベルが入力されている場合には、ＯＵＴ端子からＭＯＳ−ＦＥＴ５０へ出力する制御信号をオフする。これにより、メイン電源１２からモータなどへの電力の供給が遮断される。
【００６２】
そして、外部からＦＡＸ指示信号やプリント指示信号等の待機状態を解除する信号を前記信号検出回路が検知すると、前記画像形成に必要なＩＰＳやハードディスクが画像形成のための動作を行うため消費する電力量が増加する。これにより、サブ電源１４からの電力供給量が増加する。
【００６３】
すなわち、負荷電流が増加し、カレントトランス６２の一次巻線６２Ａを流れる電流も大きくなる。従って、一次巻線６２Ａの電圧が大きくなり、２次巻線６２Ｂに誘起される電圧も大きくなるため、トランジスタ７４が導通する。これにより、制御回路５２のＯＮ／ＯＦＦ端子には、ローレベルが入力される。
【００６４】
制御回路５２では、ＯＮ／ＯＦＦ端子にローレベルが入力されると、ＯＵＴ端子からＭＯＳ−ＦＥＴ５０への制御信号の出力を開始する。これにより、トランス４２の１次巻線４４Ａにエネルギーが蓄えられ、トランス４２の２次巻線４６に２次側巻線電圧が発生し、該２次巻線４６側に誘起された交流電圧は、ダイオード５４及びコンデンサ５６で整流平滑されて直流電圧としてモータなどに出力される。
【００６５】
このように、カレントトランス６２にかかる電圧の大きさ、すなわちサブ電源１４から供給される電力の大きさに応じて自動的にメイン電源１２の起動がオンオフされるため、メイン電源をオンオフするためのオンオフ信号を送出する機能と該オンオフ信号を送出する条件としての外部信号を検出する機能とを備えた特別な制御回路が不要となりコストを抑えることができると共に、前記制御回路への電源供給も不要となるため、さらに省電力化を図ることができる。また、前記制御回路が不要のため、他の装置との独立性を高めることができ、異なる機種間で電源装置の共有化を図ることが可能となる。従って、設計が行いやすくなると共に短期開発が可能となる。
【００６６】
〔第３実施形態〕
次に、本発明の第３実施形態について説明する。第３実施形態では、第２実施形態において説明した電源装置１０の変形例について説明する。なお、図３に示す電源装置１０と同一部分については同一符号を付し、その詳細な説明を省略する。
【００６７】
図４に示す電源装置１０”は、ＭＯＳ−ＦＥＴ２４のソース端子と入力平滑回路２２との間に、並列に抵抗が接続されたカレントトランス８０の一次巻線８０Ａが接続されている。カレントトランス８０の２次巻線８０Ｂの一端はダイオードを介して制御回路２６のＯＣＰ端子、コンデンサ８２の一端、及びツェナーダイオード８４のカソード端子が接続されており、他端は制御回路２６のＧＮＤ端子及びコンデンサ８２の他端に接続されている。ツェナーダイオード８４のアノード端子には抵抗８６の一端が接続されており、抵抗８６の他端はフォトカプラ３６の発光ダイオード３６Ａのアノード端子が接続されている。
【００６８】
次に、第３実施形態の作用について説明する。
【００６９】
待機状態の場合には、ＩＰＳやハードディスクに供給される負荷電流が少ないため、カレントトランス８０の一次巻線８０Ａにかかる電圧が小さい。このため、２次巻線８０Ｂに誘起される電圧も小さく、ツェナーダイオード８４が導通しない。従って、フォトカプラ３６の発光ダイオード３６Ａに電流が流れず、メイン電源１２側のフォトトランジスタ３６Ｂが導通しないため、制御回路５２のＯＮ／ＯＦＦ端子には、ハイレベルが入力される。
【００７０】
制御回路５２では、ＯＮ／ＯＦＦ端子にハイレベルが入力されている場合には、ＯＵＴ端子からＭＯＳ−ＦＥＴ５０へ出力する制御信号をオフする。これにより、メイン電源１２からモータなどへの電力の供給が遮断される。
【００７１】
そして、外部からＦＡＸ指示信号やプリント指示信号等の待機状態を解除する信号を前記信号検出回路が検知すると、前記画像形成に必要なＩＰＳやハードディスクが画像形成のための動作を行うため消費する電力量が増加する。これにより、サブ電源１４からの電力供給量が増加する。
【００７２】
すなわち、負荷電流が増加し、カレントトランス８０の一次巻線８０Ａを流れる電流も大きくなる。従って、一次巻線８０Ａにかかる電圧が大きくなり、２次巻線８０Ｂに誘起される電圧も大きくなるため、ツェナーダイオード８４が導通する。これにより、フォトカプラ３６の発光ダイオード３６Ａに電流が流れ、メイン電源１２側のフォトトランジスタ３６Ｂが導通し、制御回路５２のＯＮ／ＯＦＦ端子には、ローレベルが入力される。
【００７３】
制御回路５２では、ＯＮ／ＯＦＦ端子にローレベルが入力されると、ＯＵＴ端子からＭＯＳ−ＦＥＴ５０への制御信号の出力を開始する。これにより、トランス４２の１次巻線４４Ａにエネルギーが蓄えられ、トランス４２の２次巻線４６に２次側巻線電圧が発生し、該２次巻線４６側に誘起された交流電圧は、ダイオード５４及びコンデンサ５６で整流平滑されて直流電圧としてモータなどに出力される。
【００７４】
このように、カレントトランス８０にかかる電圧の大きさ、すなわちサブ電源１４から供給される電力の大きさに応じて自動的にメイン電源１２の起動がオンオフされるため、メイン電源をオンオフするためのオンオフ信号を送出する機能と該オンオフ信号を送出する条件としての外部信号を検出する機能とを備えた特別な制御回路が不要となりコストを抑えることができると共に、前記制御回路への電源供給も不要となるため、さらに省電力化を図ることができる。また、前記制御回路が不要のため、他の装置との独立性を高めることができ、異なる機種間で電源装置の共有化を図ることが可能となる。従って、設計が行いやすくなると共に短期開発が可能となる。
【００７５】
【発明の効果】
以上説明したように、本発明によれば、制御手段は、副電源の電力供給状態に基づいて主電源をオンオフするため、特別な制御回路等が不要となりコストを抑えることができると共に、他の装置との独立性を高めることができ、異なる機種間で電源装置の共有化を図ることが可能となる、という効果を有する。
【図面の簡単な説明】
【図１】  本発明の概略について説明するための概略図である。
【図２】  第１実施形態における電源装置の回路図である。
【図３】  第２実施形態における電源装置の回路図である。
【図４】  第３実施形態における電源装置の回路図である。
【図５】  従来における電源装置について説明するための概略図である。
【符号の説明】
１０    電源装置
１２    メイン電源
１４    サブ電源
１６、４２    トランス
２２、４８    入力平滑回路
２４、５０    ＭＯＳ−ＦＥＴ
２６、５２    制御回路
３６    フォトカプラ
３８    トランジスタ
４０    検出抵抗
【図１】
0003744304.tif 000002
【図２】
0003744304.tif 000003
【図３】
0003744304.tif 000004
【図４】
0003744304.tif 000005
【図５】
0003744304.tif 000006